【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
情報処理装置であり、
衛星からの受信データに基づく位置算出処理を実行するＧＰＳ（Ｇｌｏｂａｌ  Ｐｏｓｉｔｉｏｎｉｎｇ  Ｓｙｓｔｅｍ）デバイスと、
前記ＧＰＳデバイスに対する電力供給制御を実行する電源制御部と、
情報処理装置のユーザによる使用状況を監視して単位時間あたりの使用頻度を算出し、算出した使用頻度が予め定めた閾値未満である場合は、前記電源制御部に対して、ＧＰＳデバイスに対する間欠的な電力供給を実行させる制御を行う装置制御部と、
を有することを特徴とする情報処理装置。
【請求項２】
前記装置制御部は、
情報処理装置のユーザによる使用頻度が予め定めた閾値以上である場合は、前記電源制御部に対して、ＧＰＳデバイスに対する継続的な電力供給を実行させる制御を行う構成であることを特徴とする請求項１に記載の情報処理装置。
【請求項３】
前記装置制御部は、
撮像装置における撮影頻度を算出し、算出した撮影頻度が予め定めた閾値未満である場合は、前記電源制御部に対して、ＧＰＳデバイスに対する間欠的な電力供給を実行させ、算出した撮影頻度が予め定めた閾値以上である場合は、ＧＰＳデバイスに対する継続的な電力供給を実行させる制御を行う構成であることを特徴とする請求項１に記載の情報処理装置。
【請求項４】
前記装置制御部は、
定期的にＧＰＳデバイスにおいて取得済み航法メッセージの有効期限検証を行い、取得済み航法メッセージの有効期限が切れている場合には、ＧＰＳデバイスに対して航法データの更新処理を実行させる制御を行う構成であることを特徴とする請求項１に記載の情報処理装置。
【請求項５】
前記装置制御部は、
ＧＰＳデバイスに対する間欠的な電力供給の実行期間におけるＧＰＳデバイスに対する電力供給再開タイミングを、装置制御部がＧＰＳデバイスから位置情報を入力するタイミングに一致させたタイミングとして設定する制御を行なう構成であることを特徴とする請求項１に記載の情報処理装置。
【請求項６】
前記装置制御部は、
ＧＰＳデバイスに対する間欠的な電力供給の実行期間において、航法メッセージの有効期限未満の時間をＧＰＳデバイスの電源ＯＦＦの最長時間とする設定とした制御を行なう構成であることを特徴とする請求項１に記載の情報処理装置。
【請求項７】
ＧＰＳ（Ｇｌｏｂａｌ  Ｐｏｓｉｔｉｏｎｉｎｇ  Ｓｙｓｔｅｍ）デバイスを有する情報処理装置における電力供給制御方法であり、
情報処理装置のユーザによる使用状況を監視して単位時間あたりの使用頻度を算出する使用頻度算出ステップと、
算出使用頻度が予め定めた閾値未満である場合、ＧＰＳデバイスに対する間欠的な電力供給を実行する電力供給制御制御ステップと、
を有することを特徴とする電力供給制御方法。
【請求項８】
前記電力供給制御ステップは、さらに、
情報処理装置のユーザによる使用頻度が予め定めた閾値以上である場合は、ＧＰＳデバイスに対する継続的な電力供給を実行させる制御を行うことを特徴とする請求項７に記載の電力供給制御方法。
【請求項９】
前記電力供給制御ステップは、
撮像装置における撮影頻度を算出し、算出した撮影頻度が予め定めた閾値未満である場合は、前記電源制御部に対して、ＧＰＳデバイスに対する間欠的な電力供給を実行させ、算出した撮影頻度が予め定めた閾値以上である場合は、ＧＰＳデバイスに対する継続的な電力供給を実行させる制御を行うステップであることを特徴とする請求項７に記載の電力供給制御方法。
【請求項１０】
前記電力供給制御方法において、さらに、
定期的にＧＰＳデバイスにおいて取得済み航法メッセージの有効期限検証を行い、取得済み航法メッセージの有効期限が切れている場合には、ＧＰＳデバイスに対して航法データの更新処理を実行させる制御を行うステップを有することを特徴とする請求項７に記載の電力供給制御方法。
【請求項１１】
前記電力供給制御ステップは、
ＧＰＳデバイスに対する間欠的な電力供給の実行期間におけるＧＰＳデバイスに対する電力供給再開タイミングを、装置制御部がＧＰＳデバイスから位置情報を入力するタイミングに一致させたタイミングとして設定する制御を行なうことを特徴とする請求項７に記載の電力供給制御方法。
【請求項１２】
前記電力供給制御ステップは、
ＧＰＳデバイスに対する間欠的な電力供給の実行期間において、航法メッセージの有効期限未満の時間をＧＰＳデバイスの電源ＯＦＦの最長時間とする設定とした制御を行なう構成であることを特徴とする請求項７に記載の電力供給制御方法。
【請求項１３】
ＧＰＳ（Ｇｌｏｂａｌ  Ｐｏｓｉｔｉｏｎｉｎｇ  Ｓｙｓｔｅｍ）デバイスを有する情報処理装置における電力供給制御を実行させるコンピュータ・プログラムであり、
情報処理装置のユーザによる使用状況を監視して単位時間あたりの使用頻度を算出する使用頻度算出ステップと、
算出使用頻度が予め定めた閾値未満である場合、ＧＰＳデバイスに対する間欠的な電力供給を実行する電力供給制御制御ステップと、
を実行させることを特徴とするコンピュータ・プログラム。
【手続補正２】
【補正対象書類名】明細書
【補正対象項目名】０００１
【補正方法】変更
【補正の内容】
【０００１】
本発明は、情報処理装置、および電力供給制御方法、並びにコンピュータ・プログラムに関する。さらに詳細には、ＧＰＳ（Ｇｌｏｂａｌ  Ｐｏｓｉｔｉｏｎｉｎｇ  Ｓｙｓｔｅｍ）を適用した位置計測を実行する装置において、消費電力の低減を実現する情報処理装置、および電力供給制御方法、並びにコンピュータ・プログラムに関する。
【手続補正３】
【補正対象書類名】明細書
【補正対象項目名】０００２
【補正方法】変更
【補正の内容】
【０００２】
近年、携帯型の情報処理装置や、撮像装置などにＧＰＳ（Ｇｌｏｂａｌ  Ｐｏｓｉｔｉｏｎｉｎｇ  Ｓｙｓｔｅｍ）を備え、現在位置情報を取得可能として、取得した位置情報を摘要したデータ処理、例えばナビゲーションや、撮影画像の位置を撮影画像に対する属性データとして付与するなどの処理を行なうシステムが実現されている。
【手続補正４】
【補正対象書類名】明細書
【補正対象項目名】０００９
【補正方法】変更
【補正の内容】
【０００９】
本発明の第１の側面は、
情報処理装置であり、
衛星からの受信データに基づく位置算出処理を実行するＧＰＳ（Ｇｌｏｂａｌ  Ｐｏｓｉｔｉｏｎｉｎｇ  Ｓｙｓｔｅｍ）デバイスと、
前記ＧＰＳデバイスに対する電力供給制御を実行する電源制御部と、
情報処理装置のユーザによる使用状況を監視して単位時間あたりの使用頻度を算出し、算出した使用頻度が予め定めた閾値未満である場合は、前記電源制御部に対して、ＧＰＳデバイスに対する間欠的な電力供給を実行させる制御を行う装置制御部と、
を有することを特徴とする情報処理装置にある。
【手続補正５】
【補正対象書類名】明細書
【補正対象項目名】００１５
【補正方法】変更
【補正の内容】
【００１５】
さらに、本発明の第２の側面は、
ＧＰＳ（Ｇｌｏｂａｌ  Ｐｏｓｉｔｉｏｎｉｎｇ  Ｓｙｓｔｅｍ）デバイスを有する情報処理装置における電力供給制御方法であり、
情報処理装置のユーザによる使用状況を監視して単位時間あたりの使用頻度を算出する使用頻度算出ステップと、
算出使用頻度が予め定めた閾値未満である場合、ＧＰＳデバイスに対する間欠的な電力供給を実行する電力供給制御制御ステップと、
を有することを特徴とする電力供給制御方法にある。
【手続補正６】
【補正対象書類名】明細書
【補正対象項目名】００２１
【補正方法】変更
【補正の内容】
【００２１】
さらに、本発明の第３の側面は、
ＧＰＳ（Ｇｌｏｂａｌ  Ｐｏｓｉｔｉｏｎｉｎｇ  Ｓｙｓｔｅｍ）デバイスを有する情報処理装置における電力供給制御を実行させるコンピュータ・プログラムであり、
情報処理装置のユーザによる使用状況を監視して単位時間あたりの使用頻度を算出する使用頻度算出ステップと、
算出使用頻度が予め定めた閾値未満である場合、ＧＰＳデバイスに対する間欠的な電力供給を実行する電力供給制御制御ステップと、
を実行させることを特徴とするコンピュータ・プログラムにある。
【手続補正７】
【補正対象書類名】明細書
【補正対象項目名】００２４
【補正方法】変更
【補正の内容】
【００２４】
本発明の一実施例構成によれば、ＧＰＳ（Ｇｌｏｂａｌ  Ｐｏｓｉｔｉｏｎｉｎｇ  Ｓｙｓｔｅｍ）デバイスを有する情報処理装置、例えばビデオカメラなどの撮像装置において、情報処理装置のユーザによる使用状況、例えば撮像装置における撮影頻度を監視して単位時間あたりの使用頻度を算出し、使用頻度が予め定めた閾値未満である場合、ＧＰＳデバイスに対する間欠的な電力供給を実行する構成としたので、ＧＰＳデバイスにおける無駄な電力消費が防止され、バッテリの消費が抑えられる。また、ＧＰＳデバイスの間欠的な駆動によって、ＧＰＳ衛星からの受信データである航法メッセージを有効期限内の航法メッセージに維持することが可能となり、新たなＧＰＳ衛星探索を行うことなく航法メッセージを利用した短時間での位置算出が可能となる。
【手続補正８】
【補正対象書類名】明細書
【補正対象項目名】００３０
【補正方法】変更
【補正の内容】
【００３０】
ＧＰＳモジュール１１１，１２１は、位置情報としてＧＰＳモジュール１１１，１２１の３次元的な位置（ｘ、ｙ、ｚ）を求める。三次元的な位置を求めるためには、少なくとも３個のＧＰＳ衛星の捕捉処理が必要である。すなわち、位置が確認された少なくとも３個のＧＰＳ衛星から航法メッセージを受信することが必要となる。そして、これら少なくとも３個のＧＰＳ衛星からの受信情報（航法メッセージ）を用いて、ＧＰＳモジュール１１１，１２１位置を、三角測量法を適用して決定する。
【手続補正９】
【補正対象書類名】明細書
【補正対象項目名】００３４
【補正方法】変更
【補正の内容】
【００３４】
しかし、航法メッセージには有効期限として設定される賞味期限（アルマナックデータは３ヶ月、エフェメリスデータは２時間）がある。有効期限内のデータを保持している場合は、過去に受信済みのデータを利用することで衛星の現在位置を推測可能となり、効率的に短時間にステップ１〜２の処理を実行でき、ＧＰＳモジュール１１１，１２１の位置算出を迅速に行なうことが可能となるが、有効期限内のデータを保持していない場合は、取得済みデータを適用した効率的なＧＰＳ位置推測が不可能となり、ゼロからのＧＰＳ衛星位置探索を行うことが必要となる。このような位置探索を行なうと、ステップ１の処理時間を短縮することができず、結果として、ＧＰＳモジュール１１１，１２１を適用した位置算出に時間を要することになる。
【手続補正１０】
【補正対象書類名】明細書
【補正対象項目名】００４８
【補正方法】変更
【補正の内容】
【００４８】
電源制御部３２０は、例えばフロントパネルシステムによって構成され、フロントパネル制御部３２１、電源スイッチなどの各種スイッチからなる入力部３２２、撮影情報の表示などを行なう出力部３２３を有する。ＧＰＳモジュール３３０は、ＧＰＳデバイス３４０と、電源電圧コンバータ３３１を有する。ＧＰＳデバイス３４０は、電源電圧コンバータ３３１を介して所定電圧に変換された電力を入力して駆動する。ＧＰＳデバイス３４０は、衛星捕捉、航法メッセージ取得処理を実行し、航法データ記録、位置算出処理等を実行するデータ処理部３４１、取得した航法データや算出した位置データを記憶するメモリ（ＳＲＡＭ）３４２を有する。
【手続補正１１】
【補正対象書類名】明細書
【補正対象項目名】００５４
【補正方法】変更
【補正の内容】
【００５４】
図５に示す構成図を参照して基本的な処理の流れについて説明する。まず、撮像装置本体３１０は、電源制御部（フロントパネルシステム）３２０の入力部３２２のユーザ操作により電源ＯＮされると、電源制御部（フロントパネルシステム）３２０からの指令でＧＰＳモジュール３３０内のＧＰＳデバイス３４０も電源ＯＮ、すなわち電力が供給される。
【手続補正１２】
【補正対象書類名】明細書
【補正対象項目名】００５７
【補正方法】変更
【補正の内容】
【００５７】
ＧＰＳデバイス３４０によって、位置情報算出に必要なＧＰＳ衛星捕捉に成功すると、ＧＰＳデバイス３４０の取得した最新の航法データ、および算出した位置情報が撮像装置本体３１０に入力され、撮像装置本体３１０の制御部３１１は、電源制御部（フロントパネルシステム）３２０に対してＧＰＳモジュール３３０を間欠駆動状態移行させるようにコマンドを出力する。その後、ＧＰＳモジュール３３０は、電源制御部（フロントパネルシステム）３２０からの指示で間欠駆動状態へと移行する。この後は、ＧＰＳデバイス３４０は、撮像装置本体３１０の電源ＯＮ／ＯＦＦ状態の状態遷移とは自立して間欠的な測位動作を継続していく。
【手続補正１３】
【補正対象書類名】明細書
【補正対象項目名】００７０
【補正方法】変更
【補正の内容】
【００７０】
時間ｔ０においてＧＰＳデバイスに電力供給が開始される。この時点（ｔ０）では、取得済みの航法メッセージが利用できない期限切れであったものと仮定する。この場合、ＧＰＳデバイスは、位置計測に必要となる複数のＧＰＳ衛星の捕捉処理を実行する。すなわち、複数のＧＰＳ衛星の探索を行い、探索の結果、発見したＧＰＳ衛星からの航法メッセージの受信を行なうことが必要となる。この処理には、ほぼ７０ｍＡの電流が消費される。
【手続補正１４】
【補正対象書類名】明細書
【補正対象項目名】００７３
【補正方法】変更
【補正の内容】
【００７３】
時間（ｔａ）においてＧＰＳデバイスに電力供給が開始される。この時点（ｔａ）では、図７の時間（ｔ０）と同様、取得済みの航法メッセージが利用できない期限切れであったものと仮定する。この場合、ＧＰＳデバイスは、位置計測に必要となる複数のＧＰＳ衛星の捕捉処理を実行する。すなわち、複数のＧＰＳ衛星の探索を行い、探索の結果、発見したＧＰＳ衛星からの航法メッセージの受信を行なうことが必要となる。この処理には、ほぼ７０ｍＡの電流が消費される。
【手続補正１５】
【補正対象書類名】明細書
【補正対象項目名】００８６
【補正方法】変更
【補正の内容】
【００８６】
以上、説明したように、本発明の一実施例構成によれば、ＧＰＳ（Ｇｌｏｂａｌ  Ｐｏｓｉｔｉｏｎｉｎｇ  Ｓｙｓｔｅｍ）デバイスを有する情報処理装置、例えばビデオカメラなどの撮像装置において、情報処理装置のユーザによる使用状況、例えば撮像装置における撮影頻度を監視して単位時間あたりの使用頻度を算出し、使用頻度が予め定めた閾値未満である場合、ＧＰＳデバイスに対する間欠的な電力供給を実行する構成としたので、ＧＰＳデバイスにおける無駄な電力消費が防止され、バッテリの消費が抑えられる。また、ＧＰＳデバイスの間欠的な駆動によって、ＧＰＳ衛星からの受信データである航法メッセージを有効期限内の航法メッセージに維持することが可能となり、新たなＧＰＳ衛星探索を行うことなく航法メッセージを利用した短時間での位置算出が可能となる。